(57)【要約】      （修正有）【課題】廃水を排出、貯留する目的に達すると共に、廃水を自動的に回収し再使用することを実現でき、人力監視なしに廃水の回収、再使用を全自動化で実行する、廃水回収改良装置の提供。【解決手段】本発明に係る廃水回収改良装置は、主に、便器タンク装置１と水量制御部材２と三方管３とを含んでいる。便器タンク装置は、濾過空間１０と装置エリア１２を有し、濾過空間には、濾過装置と水位検出装置とが設けられ、装置エリアには、加圧装置と少なくとも１つのフィルタと濾過空間に接続された輸送管とが設けられ、水量制御部材は、駆動装置２０と洗浄配管群２２と廃水配管群２４とを含んでいる。浄水を送り込んでフィルタを洗浄する際に、洗浄配管群と加圧装置の組み合わせ及び駆動装置により、浄水の給水量を制御することで、洗浄効果を実現することができる。濾過装置を通った後、廃水配管群と加圧装置の組み合わせ及び駆動装置により、排水量を制御する。【選択図】図１
2020037090.tif 000002
【特許請求の範囲】
【請求項１】
複数の濾過メッシュを含む濾過装置及び水位検出装置が設けられた濾過空間と、加圧装置と、水流スイッチが設けられる少なくとも１つのフィルタと、濾過水を送るために前記濾過空間に接続された輸送管が設けられた装置エリアとを有する便器タンク装置と、
前記水流スイッチに接続された浄水輸送管と、
内部にタンク水位センサと排水口とポンプモータとが取り付けられて、前記浄水輸送管に接続された、浄水を貯留するための予備タンクと、
前記タンク水位センサに信号的に接続された、前記予備タンク内部の水位状態を判断するための制御ボックスと、
駆動装置と、浄水の流れ方向を前記駆動装置で制御する洗浄配管群と、廃水の流れ方向を前記駆動装置で制御する廃水配管群とを有する水量制御部材と、
第１の給水管と、第２の給水管と、前記第１の給水管及び前記第２の給水管と連通する第１の排水管とを有する三方管と、
複数の前記フィルタの間に取り付けられた、廃水または浄水を送るための濾過輸送管と、
を備える廃水回収改良装置において、
前記第１の排水管は前記加圧装置に接続されており、前記第１の給水管は前記廃水配管群に接続されており、廃水が前記第１の排水管を介して前記加圧装置へ送られてから前記フィルタにより濾過排出し、
前記第２の給水管は前記洗浄配管群に接続されており、浄水が前記第１の排水管を介して前記加圧装置へ送られ、前記フィルタに浄水を送って、さらに洗浄を行ってから排出する、
ことを特徴とする廃水回収改良装置。
【請求項２】
前記洗浄配管群は、外部浄水導入口に接続された第１の流入管と前記第２の給水管に接続された第１の流出管とが設けられた第１の浄水管群と、前記加圧装置に接続された第２の流入管と前記フィルタに接続された第２の流出管とが設けられた第２の浄水管群とを含む、
ことを特徴とする請求項１に記載の廃水回収改良装置。
【請求項３】
前記廃水配管群は、回収廃水を送るために前記濾過空間に連通された第１の廃水流入管と前記第１の給水管に接続された第１の廃水流出管とが設けられた第１の廃水管群と、前記加圧装置に接続された第２の廃水流入管と前記フィルタに接続された第２の廃水流出管とが設けられた第２の廃水管群とを含む、
ことを特徴とする請求項１に記載の廃水回収改良装置。
【請求項４】
さらに、前記第２の廃水流出管に接続された輸送管と、前記輸送管の排水量を制御する制御弁とを含む、
ことを特徴とする請求項３に記載の廃水回収改良装置。
【請求項５】
さらに、便器タンク装置が取り付けられた便器装置を含んでおり、
前記便器タンク装置内には、前記便器タンク装置の内部にある浄水の水量を特定するために、前記制御ボックスに信号的に接続された便器タンク水位センサと、便器タンクに水道水を補給するための制御弁とが設けられている、
ことを特徴とする請求項１に記載の廃水回収改良装置。
【請求項６】
さらに、前記便器タンクに水道水を補給するための制御弁に連結する水道水源切り替え装置を含む、
ことを特徴とする請求項１に記載の廃水回収改良装置。
【発明の詳細な説明】
【技術分野】
【０００１】
本発明は、廃水設備であり、特に、廃水回収改良装置に関する。
【背景技術】
【０００２】
地球規模の急速的な気候変動の影響を受け、元々の比較的決まっていた降雨パターンが変化を生じ、当初は雨が少量降っていた地域で大雨が災難となり、安定的に雨が降っていた地域は長期的な干ばつだった。人類の使うことができる水資源の大部分はすべて雨水に由来のため、降水量が安定していないとき、水資源の分配と利用はより重要であって、そうでなければ水不足は、人々の生計に影響する常態性の問題になり兼ねない。
【発明の概要】
【発明が解決しようとする課題】
【０００３】
したがって、節水に係る関連設備は、町の中にて、多くの人までに受け入れられるようになってきた。そのうち、民間用節水装置において、例えば、衛生設備などに利用される便器タンク節水装置は、最も人々に広く知られている。
かかる便器タンク用節水装置では、主に、従来型の便器タンクの部品を二段式水洗部品に取り換えることで、水洗量の約半分を節約することができるが、このような方式によっては、単に洗浄に使用される浄水の使用量を減らすだけであり、廃水の利用により洗浄を行うことで清潔目的をやり遂げるとは全く言われない。
また、現在、日常生活によく見られる節水装置の大半は、科学的技術が発達している今の時代でも、依然としてオートメーション機能が欠けていることから、その自動化はすでに時代遅れであり、これは、本発明が徹底的に解決すべき課題である。
【０００４】
そこで、本発明は、駆動装置の利用で廃水または浄水の送り量を選ぶことができる外、廃水配管群及び洗浄配管群とを組み合わせることで廃水の自動的回収及び再使用を実現し、しかも人力監視なしに廃水の回収、再使用が全自動化で実行することが可能な利点を有することを主な目的とする。
【課題を解決するための手段】
【０００５】
前記目的を達成するため、本発明は、濾過装置及び水位検出装置が設けられた濾過空間と、加圧装置、少なくとも１つのフィルタ、及び濾過水を送るために前記濾過空間に接続された輸送管が設けられた装置エリアとを有する便器タンク装置と、駆動装置と、前記駆動装置で浄水の流れ方向を制御する洗浄配管群と、前記駆動装置で廃水の流れ方向を制御する廃水配管群とを有する水量制御部材と、第１の給水管と、第２の給水管と、前記第１の給水管及び前記第２の給水管と連通する第１の排水管とを有する三方管とを含む廃水回収改良装置であって、前記加圧装置に前記第１の排水管が接続されており、前記第１の給水管が前記廃水配管群に接続されており、また、廃水が前記第１の排水管を介して前記加圧装置へ送られフィルタにより濾過されてからさらに排出し、前記第２の給水管が前記洗浄配管群に接続されており、また、浄水が前記第１の排水管を介して前記加圧装置へ送られ、前記フィルタに浄水を送って洗浄を行ってからさらに排出する廃水回収改良装置を提供している。
【０００６】
いくつかの実施例において、前記洗浄配管群は、外部浄水導入口に接続された第１の流入管と前記第２の給水管に接続された第１の流出管とが設けられた第１の浄水管群と、前記加圧装置に接続された第２の流入管と前記フィルタに接続された第２の流出管とが設けられた第２の浄水管群とを含む。
【０００７】
いくつかの実施例において、前記廃水配管群は、回収廃水を送るために前記濾過空間に連通された第１の廃水流入管と前記第１の給水管に接続された第１の廃水流出管とが設けられた第１の廃水管群と、前記加圧装置に接続された第２の廃水流入管と前記フィルタに接続された第２の廃水流出管とが設けられた第２の廃水管群とを含む。
【０００８】
いくつかの実施例において、さらに、前記第２の廃水流出管に接続された輸送管と、前記輸送管の排水量を制御する制御弁とを含む。
【０００９】
いくつかの実施例において、前記フィルタには、前記駆動装置に制御される水流スイッチが設けられている。
【００１０】
いくつかの実施例において、さらに、前記水流スイッチに接続された浄水輸送管を含む。
【００１１】
いくつかの実施例において、前記濾過装置は、複数の濾過メッシュを含む。
【００１２】
いくつかの実施例において、さらに、廃水または浄水を送るために複数の前記フィルタの間に取り付けられた濾過輸送管を含む。
【００１３】
いくつかの実施例において、さらに、廃水を導入するために前記濾過空間に連結された外部衛生設備を含む。
【００１４】
いくつかの実施例において、さらに、内部にタンク水位センサと排水口とポンプモータとが取り付けられ、浄水を貯留するために前記浄水輸送管に接続された予備タンクを含む。
【００１５】
いくつかの実施例において、さらに、前記予備タンク内部の水位状態を判断するために前記タンク水位センサに信号的に接続された制御ボックスを含む。
【００１６】
いくつかの実施例において、さらに、便器タンク装置が取り付けられた便器装置を含み、前記便器タンク装置内には、前記予備タンク内部の浄水の水量を特定するために前記制御ボックスに信号的に接続された便器タンク水位センサと、便器タンクに水道水を補給するための制御弁とが設けられている。
【００１７】
いくつかの実施例において、さらに、停電または信号中止の場合、前記便器タンクに水道水を補給するための制御弁に連結された水道水源切り替え装置を含む。
【図面の簡単な説明】
【００１８】
【図１】本発明に係る好ましい実施例を示す概略図である。
【図２】本発明に係る好ましい実施例を示す斜視図である。
【図３】本発明に係る廃水輸送、貯留を示す斜視図である。
【図４】本発明に係る廃水輸送、貯留を示すもう１つの斜視図である。
【図５】本発明に係る廃水輸送、貯留を示す動作概略図である。
【図６】本発明に係る浄水輸送によるフィルタ洗浄を示す斜視図である。
【図７】本発明に係る浄水輸送によるフィルタ洗浄を示すもう１つの斜視図である。
【図８】本発明に係る浄水輸送によるフィルタ洗浄を示す動作概略図である。
【図９】本発明に係る浄水を送ることで濾過装置を洗浄することを示す斜視図である。
【図１０】本発明に係る浄水を送ることで濾過装置を洗浄することを示す動作概略図である。
【図１１】本発明に係る外部装置への接続の使用状態の概略図である。
【図１２】本発明に係る便器及びタンクとの組み合わせの使用状態の概略図である。
【発明を実施するための形態】
【００１９】
図１及び図２を参照し、それぞれは、本発明に係る好ましい実施例を示す概略図及び斜視図である。本発明は、主に、便器タンク装置１と水量制御部材２と三方管３とで構成された廃水回収改良装置であって、便器タンク装置１は、濾過空間１０と装置エリア１２とを有し、濾過空間１０には、複数の濾過メッシュからなる濾過装置１００と検出電極棒である水位検出装置１０２とが設けられており、かつ、濾過空間１０と装置エリア１２とは互いに連通しない。
濾過空間１０内に導入されて濾過装置１００を介して濾過すべき廃水は、その水位の高低さが水位検出装置１０２によって検出される必要がある。装置エリア１２には、加圧装置１２０と少なくとも１つのフィルタ１２２と濾過空間１０に接続された輸送管１２４とが設けられ、加圧装置１２０には必要な変圧器が設けられ、加圧装置１２０は、より好適な洗浄効果を得るために、廃水や浄水に加圧することができる。
【００２０】
また、水量制御部材２は、駆動モータである駆動装置２０と、洗浄配管群２２と、廃水配管群２４とを含み、洗浄配管群２２は、駆動装置２０で浄水の流れ方向を制御し、廃水配管群２４は、駆動装置２０で廃水の流れ方向を制御し、ここで、洗浄配管群２２は、第１の浄水管群２２０と第２の浄水管群２２２とを含み、第１の浄水管群２２０には、第１の流入管２２００と第１の流出管２２０２とが設けられ、第２の浄水管群２２２には、第２の流入管２２２０と第２の流出管２２２２とが設けられている。
【００２１】
さらに、三方管３は、第１の給水管３０と第２の給水管３２と第１の排水管３４とを含み、第１の排水管３４は、第１の給水管３０及び第２の給水管３２と連通し、ここで、第１の排水管３４は、加圧装置１２０までに連通し、第１の給水管３０は、廃水配管群２４に接続されるとともに、第１の排水管３４を介して加圧装置１２０までに廃水が送られ、さらにフィルタ１２２によって濾過してから排出、貯留する。第２の給水管３２は、洗浄配管群２２に接続されるとともに、第１の排水管３４を介して加圧装置１２０までに浄水が送られ、さらにフィルタ１２２までに浄水が送られ濾過してから排出される。
【００２２】
上記では、洗浄配管群２２の第１の浄水管群２２０に設けられた第１の流入管２２００は、主に、浄水を導入するように外部浄水導入口に接続され、その後、駆動装置２０によって水を供給するかどうかを制御し、第１の流出管２２０２が第２の給水管３２に接続されている。また、第２の浄水管群２２２には、第２の流入管２２２０と第２の流出管２２２２とが設けられ、第２の流入管２２２０が加圧装置１２０に接続し、第２の流出管２２２２がフィルタ１２２に接続されている。フィルタ１２２には、汚水を洗浄、排出するための排水口１２２０が設けられ、さらに、排水口１２２０に輸送管１２２１と汚水の排水量を制御するための制御弁１２２２とが接続されている。
【００２３】
上記では、廃水配管群２４は、第１の廃水管群２４０と第２の廃水管群２４２とを含み、第１の廃水管群２４０には、第１の廃水流入管２４００と第１の廃水流出管２４０２とが設けられ、第１の廃水流入管２４００は、主に、回収廃水を送るために濾過空間１０と連通し、第１の廃水流出管２４０２は、第１の給水管３０に接続し、第２の廃水管群２４２には、第２の廃水流入管２４２０と第２の廃水流出管２４２２とが設けられ、第２の廃水流入管２４２０が加圧装置１２０に接続し、第２の廃水流出管２４２２がフィルタ１２２に接続されている。また、フィルタ１２２には、駆動装置２０によって制御される水流スイッチ１００４が設けられ、かつ、水流スイッチ１００４に接続された浄水輸送管１００６が別に設けられている。なお、複数のフィルタ１２２の間で廃水または浄水を送るための濾過輸送管４が配置されている。
【００２４】
以下、本発明の廃水回収改良装置において廃水を濾過する作動について説明する。
一例として、廃水を便器タンク装置１の濾過空間１０における濾過装置１００に入り濾過させる。そして、回収廃水を、輸送管１２４を介して第１の廃水管群２４０における第１の廃水輸入管（第１の廃水流入管）２４００に輸送させる。次に、回収廃水を、第１の廃水輸出管（第１の廃水流出管）２４０２を経由して三方管３における第１の入水管（第１の給水管）３０を経由し、第１の排水管３４を通じて加圧装置１２０に輸入させ、第２の廃水管群２４２における第２の廃水輸入管（第２の廃水流入管）２４２０を経由し、第２の廃水輸出管（第２の廃水流出管）２４２２を介して一回目の濾過のためにフィルタ１２２に輸入させる。そして、さらに濾過輸送管４を経由し二回目の濾過のために濾過器１２２に輸入させることにより、廃水を濾過することができる。
具体的に、図３、図４及び図５を合わせて参照し、それぞれは、本発明に係る廃水輸送、貯留を示す斜視図、廃水輸送、貯留を示すもう１つの斜視図、及び廃水輸送、貯留を示す動作概略図である。図３では、廃水輸送かつ２組のフィルタを介する場合を例とする。図中の矢印は、回収廃水の送り方向を示す。
外部の回収再使用可能な廃水を貯留しようとすると、最終的な濾過によって浄化する必要があるため、廃水は、まず便器タンク装置１における濾過空間１０の濾過装置１００を通さなければならない。濾過装置１００は、主に、複数枚の濾過メッシュにより配列して構成されるため、廃水中の不純物は、濾過装置１００を介して濾過、排除することができる。
また、導入された廃水の水量については、過度の導入を避けるために水位検出装置１０２によって廃水の導入量を確認する必要があり、水量が多すぎたり低すぎたりであると水位検出装置１０２が検出すると、外部制御装置は、給水したり停止したり制御することができる。また、濾過された回収廃水は、輸送管１２４から第１の廃水管群２４０の第１の廃水流入管２４００に流入される。
ここで、駆動装置２０は、主に、回収廃水の導入量を制御するために用いられ、回収廃水は、第１の廃水流出管２４０２から三方管３の第１の給水管３０を経て、さらに第１の排水管３４を介して加圧装置１２０に送られる。
その後、回収廃水は、さらに加圧装置１２０から第２の廃水管群２４２の第２の廃水流入管２４２０に排出し、第２の廃水流出管２４２２を介してそのうち１組のフィルタ１２２（下方位置にある)に送られる。２組のフィルタ１２２の間に廃水または浄水を送るための濾過輸送管４が別に設けられているため、第１組のフィルタ１２２の濾過が完了すると、回収廃水は、さらに輸送管４を経て第２組のフィルタ１２２に送られて二次濾過が行われる。
最後に、浄水輸送管１００６を介して排出し貯留され、回収廃水を回収、再使用することができる。このようにして、人力監視なしに廃水の回収、再使用が全自動化で実行することができる。
【００２５】
以下、本発明の廃水回収改良装置においてフィルタを洗浄する作動について説明する。
一例として、水道水を第１の清水管群（第１の浄水管群）２２０における第１の輸入管（第１の流入管）２２００を経由し輸出管（第１の流出管）２２０２を介して第２の入水管（第２の給水管）３２に輸送させて、第１の排水管３４を経由し加圧装置１２０に移入させる；加圧した清水を第２の輸入管（第２の流入管）２２２０に経由し輸出管（第２の流出管）２２２２の輸送を介してフィルタ１２２を洗浄させる；清潔水を濾過輸送管４を経由し輸送してフィルタ１２２を洗浄させる；洗浄した後、清潔水を、輸送管１２２１を介し制御バルブ１２２２経由して排出させることにより、フィルタを洗浄することができる。
具体的に、図６、図７及び図８を合わせて参照し、それぞれは、本発明に係る浄水輸送によるフィルタ洗浄を示す斜視図、浄水輸送によるフィルタ洗浄を示すもう１つの斜視図、及び浄水輸送によるフィルタ洗浄を示す動作概略図である。各図から分かるように、浄水が送られて２組のフィルタを洗浄する場合を例とする。図中の矢印は、浄水の送り方向を示す。
浄水は、主に外部からの水道水であって、第１の浄水管群２２０の第１の流入管２２００から第１の流出管２２０２を介して第２の給水管３２に送られ、さらに第１の排水管３４から加圧装置１２０に流入しなければならず、加圧された浄水は、第２の浄水管群２２２の第２の流入管２２２０から第２の流出管２２２２を介して最上方のフィルタ１２２に送られるとともに内部の汚れを洗浄する。
本実施例では、２組のフィルタ１２２のうち１組のフィルタ１２２が第２の流出管２２２２に接続され、このときに送られた浄水は、この組のフィルタ１２２を洗浄する。また、２組のフィルタ１２２の間に廃水または浄水を送るための濾過輸送管４が別に加えて設けられているため、第１組のフィルタ１２２の洗浄が完了すると、最初洗浄後の浄水が濾過輸送管４を介して第２組のフィルタ１２２に送られ洗浄を行い、第２組のフィルタ１２２の洗浄が完了すると、元の第２の廃水流出管２４２２から排出される。
ここで、輸送管１２２１が第２の廃水流出管２４２２に接続されているため、洗浄後の浄水は、輸送管１２２１から制御弁１２２２を経て排出されるので、制御弁１２２２により輸送管１２２１の汚水排出量を制御することができる。
【００２６】
以下、本発明の廃水回収改良装置において濾過装置を洗浄する作動について説明する。一例として、水道水を、制御バルブ５０を経由し洗浄管５を介し濾過空間１０に移入して濾過装置１００を洗浄させる。洗浄した後、電磁バルブを介して汚水を排除させることにより、濾過装置を洗浄することができる。
また、図９及び図１０でも、浄水を送ることで濾過装置を洗浄することが分かる。水道水の流入口に濾過メッシュ５が追加接続され、濾過メッシュ５に制御弁５０が取り付けられ、濾過メッシュ５は、濾過空間１０に接続されるとともに濾過装置１００の上方に配置し、濾過装置１００の洗浄を行う際に、制御弁５０のみで、濾過メッシュ５を介して外部からの水道水で濾過装置１００を洗浄することができる。このようにして、濾過装置１００による廃水の濾過効果を維持することができ、洗浄後の汚水は、電磁弁で排除すればよい。
【００２７】
本発明によれば、主に、以下の複数の目的を達成することができる。
１、回収廃水は、便器タンク装置１によって清潔な廃水に濾過することができ、回収廃水の使用範囲の拡大に役に立つ；
２、衛生設備からの使用後の廃水を全自動化で回収することで、廃水の再使用を実現するための人力監視の必要性が完全に免除される；
３、濾過装置を自動的に洗浄する効果があり、便器タンク装置１の使用期間が延長されるだけでなく、全体の濾過効果を維持することができ、長期使用で濾過品質の低下した問題が改善される。
【００２８】
図１１及び図１２を合わせて参照し、それぞれは、本発明に係る外部装置への接続の使用状態の概略図、並びに便器及びタンクとの組み合わせの使用状態の概略図である。
主に、外部衛生設備６（洗面槽または浴槽であってよい)及び予備タンク７と別に連結し、外部衛生設備６での使用後の廃水は、濾過空間１０に接続されることにより廃水を導入して濾過装置１００を介して濾過することができ、濾過した後清潔になった浄水は、予備のためにさらに浄水配管（浄水輸送管）１００６から予備タンク７に送られ、廃水の回収、貯蔵、再使用の目的が達成される。
また、予備タンク７にタンク水位センサ７０と排水口７２とポンプモータ７４とが設けられている。タンク水位センサ７０は、制御ボックス８に信号的に接続されることで、予備タンク７内の水位が基準よりも低いと判断すると、濾過した後に清潔になった浄水で補充（貯留）を行い、予備タンクの水位が最低設定基準よりも低く、浴槽及び洗面槽が補給のために水が足りない場合、制御ボックス８は、水道水から便器タンクが必要とする正常な水量を直接供給することに直ちに切り替えるようにシステムを制御し、その後、ポンプモータ７４により便器装置９の便器タンク装置（便器タンク）９０に水を引き込み、水の補給を完了する。
便器タンク装置９０に設置された便器タンク水位センサ９２は、水位が最大設定基準より低い場合に、制御ボックス８が直ちに、ポンプモータ７４により予備タンク７４から便器タンク装置９０に水を引き込むように知らせ、便器タンクが必要とする水の量の充填を完了する。予備タンクの水位が最低限（水無し）よりも低い場合、便器タンクの水位も基準値よりも低くなった場合には、水道水から電磁スイッチ９４を介して便器タンクが必要な水量が補足されるように制御ボックス８によって指令される。排水口７２は、その他の外部需要（例えば、洗浄など）に個別で給水することができる。
【００２９】
停電や信号異常が発生した場合に、制御ボックス８は、電磁スイッチにより水道水から補給することに直ちに切り替えるようにシステムを制御し、便器タンクの水位標準は、タンク水位標準水量を水槽フロートスイッチで制御し、電源または信号源が正常に戻ると、通常の自動節水機能が直ちに復元される。
【００３０】
制御ボックス８は、信号接続方式により予備タンク７内の浄水の水量を決定する。また、便器タンク水道水補給用の制御弁９４と水道水源切り替え装置９６及び水道水供給装置９７とがともに三方管９９に接続され、水道水源切り替え装置９６が異常状態（例えば、停電または正常に水補給ができない）と判断した場合には、便器タンクの水道水補給の制御弁９６により、便器タンク装置９０のボールタップ装置９８を作動させ、元々水道水供給装置９７からの外部給水方式を行い、便器タンク装置９０が一定の水位を維持できるように確保する。
【００３１】
水道水源切り替え装置９６は、水道水源切り替え装置９６で電源状態に応じて給水源を選択することができる。水道水源切り替え装置９６は、停電または電源ＯＦＦの状態になったと判断した場合に、便器タンクに使用するために水源を外部水道水に切り替える一方、電源ＯＮの状態になると、水道水源切り替え装置９６は、便器タンクに使用するために回収水を使用するように復帰させる。
【符号の説明】
【００３２】
１          便器タンク装置
１０        濾過空間
１００      濾過装置
１００４    水流スイッチ
１００６    浄水輸送管
１０２      水位検出装置
１２        装置エリア
１２０      加圧装置
１２２      フィルタ
１２２０    排水口
１２２１    輸送管
１２２２    制御弁
１２４      輸送管
２          水量制御部材
２０        駆動装置
２２        洗浄配管群
２２０      第１の浄水管群
２２００    第１の流入管
２２０２    第１の流出管
２２２      第２の浄水管群
２２２０    第２の流入管
２２２２    第２の流出管
２４        廃水配管群
２４０      第１の廃水管群
２４００    第１の廃水流入管
２４０２    第１の廃水流出管
２４２      第２の廃水管群
２４２０    第２の廃水流入管
２４２２    第２の廃水流出管
３          三方管
３０        第１の給水管
３２        第２の給水管
３４        第１の排水管
４          濾過輸送管
５          濾過メッシュ
５０        制御弁
６          外部衛生設備
７          予備タンク
７０        タンク水位センサ
７２        排水口
７４        ポンプモータ
８          制御ボックス
９          便器装置
９０        便器タンク装置
９２        便器タンク水位センサ
９４        便器タンク水道水補給用の制御弁
９６        水道水源切り替え装置
９７        水道水供給装置
９８        ボールタップ装置
９９        三方管
【図１】
2020037090.tif 000003
【図２】
2020037090.tif 000004
【図３】
2020037090.tif 000005
【図４】
2020037090.tif 000006
【図５】
2020037090.tif 000007
【図６】
2020037090.tif 000008
【図７】
2020037090.tif 000009
【図８】
2020037090.tif 000010
【図９】
2020037090.tif 000011
【図１０】
2020037090.tif 000012
【図１１】
2020037090.tif 000013
【図１２】
2020037090.tif 000014